(57)【特許請求の範囲】
【請求項１】
内部に収納空間を有するキッチン用フロアキャビネット本体と、
このキッチン用フロアキャビネット本体内に収納され、受電することにより蓄電する蓄電池と、
キッチン用フロアキャビネット本体に設けられ、前記蓄電池から発生した排熱をキッチン用フロアキャビネット本体の正面下部から室内側へ送風又は輻射により供給する排熱供給手段と、
を備えたキッチン用フロアキャビネット。
【請求項２】
前記キッチン用フロアキャビネット本体の下部には、作動することにより前記排熱を温風として室内側へ送給するファンが設けられている、
ことを特徴とする請求項１記載のキッチン用フロアキャビネット。
【請求項３】
前記キッチン用フロアキャビネット本体内には、前記蓄電池と、当該蓄電池と建物側の電源ラインとを接続する配線とが、組立工場内で予め組み込まれている、
ことを特徴とする請求項１又は請求項２記載のキッチン用フロアキャビネット。
【請求項４】
前記キッチン用フロアキャビネット本体の下部に設けられた蹴込み部に前記蓄電池が収納されていると共に、当該蹴込み部の正面壁に蹴込み部の内部と室内とを連通するルーバが設けられている、
ことを特徴とする請求項１〜請求項３のいずれか１項に記載のキッチン用フロアキャビネット。
【請求項５】
前記ルーバを開閉する開閉手段と、
前記キッチン用フロアキャビネット本体周りの気温を検出する第１温度センサと、
前記開閉手段及び第１温度センサと接続され、第１温度センサによって検出された気温が第１の所定温度以下の場合に前記開閉手段を作動させて前記ルーバを開放する制御手段と、
を有することを特徴とする請求項４記載のキッチン用フロアキャビネット。
【請求項６】
前記蓄電池の周囲には耐火材料で構成された耐火材が配置されている、
ことを特徴とする請求項５記載のキッチン用フロアキャビネット。
【請求項７】
前記蹴込み部の床面及び天井面は前記耐火材で構成されていると共に、当該蹴込み部内の気温を検出する第２温度センサを備えており、
前記制御手段は、当該第２温度センサと接続されると共に当該第２温度センサによって検出された気温が異常温度である第２の所定温度以上の場合には前記開閉手段を作動させて前記ルーバを閉止させる、
ことを特徴とする請求項６記載のキッチン用フロアキャビネット。
【請求項８】
前記キッチン用フロアキャビネット本体又は建物内の所定位置には、前記制御手段と接続されると共に警報音を発する警報手段及び画面に警告表示を出力する警告表示手段の少なくとも一方が設けられており、
前記第２温度センサによって前記第２の所定温度以上の気温が検出されたときには前記制御手段によって当該警報手段及び警告表示手段の少なくとも一方が作動される、
ことを特徴とする請求項７記載のキッチン用フロアキャビネット。
【請求項９】
前記キッチン用フロアキャビネット本体が設置される室内の壁又はキッチン用フロアキャビネット本体のカウンター上には、少なくとも前記蓄電池の残量を表示する表示手段が設けられている、
ことを特徴とする請求項５〜請求項８のいずれか１項に記載のキッチン用フロアキャビネット。
【請求項１０】
前記蓄電池は、商用電力系統と接続されて深夜電力を使って充電可能とされており、
かつ前記制御手段は、当該蓄電池から負荷への給電が商用電源から負荷への給電に優先して行われるように給電経路の切換部を制御する、
ことを特徴とする請求項９記載のキッチン用フロアキャビネット。
【請求項１１】
前記制御手段は、前記蓄電池の残量に応じて使用可能な電気機器の優先順位を変更する
と共に、前記表示手段に変更後の優先順位を表示させる、
ことを特徴とする請求項１０記載のキッチン用フロアキャビネット。
【発明の詳細な説明】
【技術分野】
【０００１】
本発明は、キッチン用フロアキャビネットに関する。
【背景技術】
【０００２】
下記特許文献１には、食器洗浄機に関する技術が開示されている。簡単に説明すると、この食器洗浄機では、洗浄機本体の内部に給水タンク及び排水タンクが配設されていると共に、給水ポンプ等を駆動させるための蓄電池が配設されている。これにより、食器洗浄機とキッチン内の給排水設備との接続が不要になり、食器洗浄機の設置場所を任意に変更することができる、というものである。
【先行技術文献】
【特許文献】
【０００３】
【特許文献１】特開２０００−１３９８０２号公報
【発明の概要】
【発明が解決しようとする課題】
【０００４】
ここで、キッチン用フロアキャビネットに蓄電池を利用する技術を適用することが検討されている。そこで、上記特許文献１に開示された先行技術をキッチン用フロアキャビネットに適用することを想定した場合、以下に説明する点で改良の余地がある。
【０００５】
すなわち、一般に蓄電池は充放電する際に熱を発生する。そして、この熱はキッチン用フロアキャビネットの内部空間に逸散されることになる。言い換えると、上記引用文献１に記載された先行技術は、排熱の再利用については検討しておらず、この点において上記先行技術には改良の余地がある。
【０００６】
本発明は上記事実を考慮し、蓄電池の排熱を有効利用することができるキッチン用フロアキャビネットを得ることが目的である。
【課題を解決するための手段】
【０００７】
請求項１記載の本発明に係るキッチン用フロアキャビネットは、内部に収納空間を有するキッチン用フロアキャビネット本体と、このキッチン用フロアキャビネット本体内に収納され、受電することにより蓄電する蓄電池と、キッチン用フロアキャビネット本体に設けられ、前記蓄電池から発生した排熱をキッチン用フロアキャビネット本体の正面下部から室内側へ送風又は輻射により供給する排熱供給手段と、を備えている。
【０００８】
請求項２記載の本発明に係るキッチン用フロアキャビネットは、請求項１記載の発明において、前記キッチン用フロアキャビネット本体の下部には、作動することにより前記排熱を温風として室内側へ送給するファンが設けられている、ことを特徴としている。
【０００９】
請求項３記載の本発明に係るキッチン用フロアキャビネットは、請求項１又は請求項２記載の発明において、前記キッチン用フロアキャビネット本体内には、前記蓄電池と、当該蓄電池と建物側の電源ラインとを接続する配線とが、組立工場内で予め組み込まれている、ことを特徴としている。
【００１０】
請求項４記載の本発明に係るキッチン用フロアキャビネットは、請求項１〜請求項３のいずれか１項に記載の発明において、前記キッチン用フロアキャビネット本体の下部に設けられた蹴込み部に前記蓄電池が収納されていると共に、当該蹴込み部の正面壁に蹴込み部の内部と室内とを連通するルーバが設けられている、ことを特徴としている。
【００１１】
請求項５記載の本発明に係るキッチン用フロアキャビネットは、請求項４記載の発明において、前記ルーバを開閉する開閉手段と、前記キッチン用フロアキャビネット本体周りの気温を検出する第１温度センサと、前記開閉手段及び第１温度センサと接続され、第１温度センサによって検出された気温が第１の所定温度以下の場合に前記開閉手段を作動させて前記ルーバを開放する制御手段と、を有することを特徴としている。
【００１２】
請求項６記載の本発明に係るキッチン用フロアキャビネットは、請求項５記載の発明において、前記蓄電池の周囲には耐火材料で構成された耐火材が配置されている、ことを特徴としている。
【００１３】
請求項７記載の本発明に係るキッチン用フロアキャビネットは、請求項６記載の発明において、前記蹴込み部の床面及び天井面は前記耐火材で構成されていると共に、当該蹴込み部内の気温を検出する第２温度センサを備えており、前記制御手段は、当該第２温度センサと接続されると共に当該第２温度センサによって検出された気温が異常温度である第２の所定温度以上の場合には前記開閉手段を作動させて前記ルーバを閉止させる、ことを特徴としている。
【００１４】
請求項８記載の本発明に係るキッチン用フロアキャビネットは、請求項７記載の発明において、前記キッチン用フロアキャビネット本体又は建物内の所定位置には、前記制御手段と接続されると共に警報音を発する警報手段及び画面に警告表示を出力する警告表示手段の少なくとも一方が設けられており、前記第２温度センサによって前記第２の所定温度以上の気温が検出されたときには前記制御手段によって当該警報手段及び警告表示手段の少なくとも一方が作動される、ことを特徴としている。
【００１５】
請求項９記載の本発明に係るキッチン用フロアキャビネットは、請求項５〜請求項８のいずれか１項に記載の発明において、前記キッチン用フロアキャビネット本体が設置される室内の壁又はキッチン用フロアキャビネット本体のカウンター上には、少なくとも前記蓄電池の残量を表示する表示手段が設けられている、ことを特徴としている。
【００１６】
請求項１０記載の本発明に係るキッチン用フロアキャビネットは、請求項９記載の発明において、前記蓄電池は、商用電力系統と接続されて深夜電力を使って充電可能とされており、かつ前記制御手段は、当該蓄電池から負荷への給電が商用電源から負荷への給電に優先して行われるように給電経路の切換部を制御する、ことを特徴としている。
【００１７】
請求項１１記載の本発明に係るキッチン用フロアキャビネットは、請求項１０記載の発明において、前記制御手段は、前記蓄電池の残量に応じて使用可能な電気機器の優先順位を変更すると共に、前記表示手段に変更後の優先順位を表示させる、ことを特徴としている。
【００１８】
請求項１記載の本発明によれば、キッチン用フロアキャビネット本体内には蓄電池が収納されているが、蓄電池は充放電する際に熱を発生する。ここで、本発明では、キッチン用フロアキャビネット本体に排熱供給手段が設けられており、発生した排熱は排熱供給手段によってキッチン用フロアキャビネット本体の正面下部から室内側へ送風又は輻射により供給される。従って、キッチン用フロアキャビネット本体前に人が居る場合に足元暖房することができる。
【００１９】
請求項２記載の本発明によれば、キッチン用フロアキャビネット本体の下部にはファンが設けられている。このファンが作動することにより、排熱が温風として室内側へ送給される。
【００２０】
請求項３記載の本発明によれば、蓄電池並びに当該蓄電池と建物側の電源ラインとを接続する配線は、組立工場内で予め組み込まれる。従って、輸送車両で当該キッチン用フロアキャビネットを建築地まで搬送した後、キッチン用フロアキャビネットを所定の位置に据付け、蓄電池と建物側の電源とを配線で繋げば、蓄電池の充電が可能となる。
【００２１】
請求項４記載の本発明によれば、蓄電池はキッチン用フロアキャビネット本体の下部に設けられた蹴込み部に収納されているため、キッチン用フロアキャビネット本体内の収納スペースを狭めることがなく、デッドスペースを有効活用することができる。
【００２２】
また、蹴込み部の正面壁に蹴込み部の内部と室内とを連通するルーバが設けられているので、足元暖房する際には、ルーバを通って暖気が室内側へ供給される。従って、暖気を室内の床面に近い位置から供給することができるため、足首あたりから暖めることができる。
【００２３】
請求項５記載の本発明によれば、キッチン用フロアキャビネット本体周りの気温は第１温度センサによって検出されており、第１温度センサによって検出された気温が第１の所定温度以下の場合には制御手段によって開閉手段がルーバを開放するように制御される。このため、室内の気温が低い場合に自動的に足元暖房を行わせることができる。
【００２４】
請求項６記載の本発明によれば、蓄電池の周囲には耐火材料で構成された耐火材が配置されているため、蓄電池が高温になっても蹴込み部の構成壁が熱で損傷を受けることがない。
【００２５】
請求項７記載の本発明によれば、蹴込み部内の気温は第２温度センサによって検出されており、第２温度センサによって検出された温度が異常温度である第２の所定温度以上の場合には、制御手段によって開閉手段がルーバを閉止するように制御される。このため、室内に過度に高い暖気がルーバから室内へ供給されることはない。
【００２６】
請求項８記載の本発明によれば、第２温度センサによって前記第２の所定温度以上の気温が検出されたときには制御手段によって警報手段及び警告表示手段の少なくとも一方が作動され、警報及び警告表示の少なくとも一方が実行される。
【００２７】
請求項９記載の本発明によれば、キッチン用フロアキャビネット本体が設置される室内の壁又はキッチン用フロアキャビネット本体のカウンター上には少なくとも蓄電池の残量を表示する表示手段が設けられているので、台所仕事をしながら蓄電池の残量をチェックすることができる。
【００２８】
請求項１０記載の本発明によれば、蓄電池は商用電力系統と接続されて深夜電力を使って充電可能とされているので、安価な深夜電力を使って蓄電池を充電することができる。
【００２９】
ここで、本発明では、蓄電池から負荷への給電が商用電源から負荷への給電に優先して行われるように、制御手段によって給電経路の切換部の切換えが制御される。このため、昼間は、蓄電池で蓄電した安価な深夜電力が先に消費される。
【００３０】
請求項１１記載の本発明によれば、制御手段は蓄電池の残量に応じて使用可能な電気機器の優先順位を変更するため、蓄電池の残量が減ってきた場合でも優先順位の高い電気機器から給電される。また、変更後の優先順位は表示手段に表示されるので、使用者も容易に優先順位が変更されたことを知ることができる。
【発明の効果】
【００３１】
以上説明したように、請求項１記載の本発明に係るキッチン用フロアキャビネットは、蓄電池の排熱を有効利用することができるという優れた効果を有する。
【００３２】
請求項２記載の本発明に係るキッチン用フロアキャビネットは、ファンを作動させて強制的に足元暖房を行わせることができるという優れた効果を有する。
【００３３】
請求項３記載の本発明に係るキッチン用フロアキャビネットは、施工現場での作業性を向上させることができるという優れた効果を有する。
【００３４】
請求項４記載の本発明に係るキッチン用フロアキャビネットは、デッドスペースを有効に活用することができると共に効果的に足元暖房を行うことができるという優れた効果を有する。
【００３５】
請求項５記載の本発明に係るキッチン用フロアキャビネットは、冬期に足元暖房を自動的に行わせることができるという優れた効果を有する。
【００３６】
請求項６記載の本発明に係るキッチン用フロアキャビネットは、蓄電池を蹴込み部に長期間に亘って安全に収納することができるという優れた効果を有する。
【００３７】
請求項７記載の本発明に係るキッチン用フロアキャビネットは、蹴込み部内の気温が異常温度になったときに高温の暖気が足元に直接供給されることを防止することができるという優れた効果を有する。
【００３８】
請求項８記載の本発明に係るキッチン用フロアキャビネットは、蹴込み部内の気温が異常温度になったときに迅速に注意換気を促すことができるという優れた効果を有する。
【００３９】
請求項９記載の本発明に係るキッチン用フロアキャビネットは、キッチン用フロアキャビネット本体に収納された蓄電池の残量を容易に確認することができるという優れた効果を有する。
【００４０】
請求項１０記載の本発明に係るキッチン用フロアキャビネットは、昼間にかかる電気代を抑制することができるという優れた効果を有する。
【００４１】
請求項１１記載の本発明に係るキッチン用フロアキャビネットは、蓄電池の残量に応じて最も効果的に電気機器に給電することができるという優れた効果を有する。
【図面の簡単な説明】
【００４２】
【図１】本実施形態に係るキッチン用フロアキャビネットの全体斜視図である。
【図２】図１に示されるキッチン用フロアキャビネットの蓄電池配置位置での縦断面図である。
【図３】図１に示されるキッチン用フロアキャビネットの中央での縦断面図である。
【図４】可動ルーバの開閉機構を示しており、（Ａ）は駆動モータ及び二段ギアを（Ｂ）の矢印方向から見た側面図であり、（Ｂ）は開閉機構の全体を示す斜視図である。
【図５】本実施形態の蓄電システムの概要を示すブロック図である。
【図６】図１に示されるモニタを拡大して示す正面図である。
【図７】本実施形態に係る可動ルーバの開閉制御を示すフローチャートである。
【図８】本実施形態に係る電気機器への給電制御を示すフローチャートである。
【発明を実施するための形態】
【００４３】
以下、図１〜図８を用いて、本発明に係るキッチン用フロアキャビネットの実施形態について説明する。
【００４４】
図１には、本実施形態に係るキッチン用フロアキャビネット１０の全体斜視図が示されている。また、図２及び図３には、当該キッチン用フロアキャビネット１０の２−２線に沿った縦断面図及び３−３線に沿った縦断面図がそれぞれ示されている。
【００４５】
これらの図に示されるように、本実施形態に係るキッチン用フロアキャビネット１０は、室内の床１２と壁１４とが交差するコーナーに設置されている。キッチン用フロアキャビネット１０は、床１２に載置される蹴込み部１６と、この蹴込み部１６の上面に載置されて支持されると共に壁１４に寄せられる直方体形状のキャビネット１８と、を含んで構成されたキッチン用フロアキャビネット本体２０を備えている。
【００４６】
キャビネット１８の上面にはカウンタ２２が設けられている。カウンタ２２の右半分には、シンク２４及び蛇口２６が設けられている。また、カウンタ２２の左半分には、コンロ２８が設けられている。さらに、壁１４におけるカウンタ２２の中央部上方側には、画面３１を備えた表示手段としてのモニタ３０が取り付けられている。なお、モニタ３０については後述する。また、図２及び図３に示されるように、キャビネット１８の正面には扉３２が設けられており、更にキャビネット１８の内部には収納スペース３４が設けられている。
【００４７】
一方、蹴込み部１６は、正面壁３６と、左右の側壁３８と、底壁４０と、天井壁４２とを備えている。蹴込み部１６の背面は壁１４の壁面で塞がれている。これにより、蹴込み部１６内には、蹴込み部の内部としての閉鎖空間４４が形成されている。なお、蹴込み部１６の背面にも専用の壁を設けてもよい。
【００４８】
底壁４０及び天井壁４２は耐火材料によって構成されている。また、キャビネット１８の底壁が蹴込み部１６の天井壁４２として兼用されている。上記閉鎖空間４４には、複数個（本実施形態では２個）の蓄電池４６が収納されている。各蓄電池４６は耐火材料で構成された底壁４０の上面に載置されている。また、図３に示されるように、底壁４０の中央部には、排熱供給手段の一部を構成する給気ファン４８が配設されている。給気ファン４８は底壁４０及び床１２を貫通した状態で設置されており、給気することにより床下空間５０の空気を吸い込んで閉鎖空間４４内へ送給するようになっている。また、底壁４０は複数枚に分割されており、１枚ずつ取外し可能に嵌め込まれている。従って、底壁４０を部分的に取外すことにより、蓄電池４６の点検口が形成されるようになっている。さらに、壁１４における蹴込み部１６の閉鎖空間４４と対向する位置には、外部電源系統５２及び商用電力系統５４と切換部５６を介して接続された電源ラインとしてのコンセント５８（図１参照）が設けられている。蓄電池４６には、このコンセント５８に差込可能な配線６０が予め工場内で取り付けられている。従って、キッチン用フロアキャビネット１０を据付け後、底壁４０を取り外して配線６０をコンセント５８に接続すると、蓄電池４６に充電可能な状態となる。
【００４９】
なお、上記蓄電池４６としては、例えば、リチウムイオン蓄電池、ニッケル水素蓄電池、鉛蓄電池といった蓄電池が適用可能であるが、ニッケルカドミウム蓄電池等の他の蓄電池であってもよい。ちなみに、鉛蓄電池、ニッケル水素蓄電池は、４０℃程度までの発生熱で制御されており、又リチウムイオン蓄電池は６０℃程度までの発生熱で制御されている。
【００５０】
キャビネット１８の収納スペース３４及び蹴込み部１６内の閉鎖空間４４には、給排水管アッセンブリ６２が配設されている。給排水管アッセンブリ６２は、給水管６４と排水管６６とで構成されている。
【００５１】
また、排水管６６は、縦引き配管６８、ジョイント７０、横引き配管７２によって構成されており、ユニット建物の組立工場内で予めアッセンブリ化されている。縦引き配管６８の上端部はシンク２４の排水口７４に接続されており、キャビネット１８内の収納スペース３４を垂直方向に通されている。縦引き配管６８の下端部が接続されるジョイント７０及び横引き配管７２は蹴込み部１６内に納められている。横引き配管７２の端部は蹴込み部１６の背面側へ引き出されて、壁１４内に配設された排水管７６と接続されている。施工現場では、壁１４内の排水管７６とキッチン用フロアキャビネット１０内の横引き配管７２との接続作業のみが行われるようになっている。なお、給水管６４についても排水管６６と同様にユニット建物の組立工場内で予めアッセンブリ化されており、施工現場では給水管６４の端部と壁１４内に配設された給水管７８との接続作業のみが行われるようになっている。
【００５２】
上述した蹴込み部１６の正面壁３６には、蹴込み部１６内の閉鎖空間４４と室内空間８０とを相互に連通する可動ルーバ８２が設けられている。なお、この可動ルーバ８２と給気ファン４８が本発明における排熱供給手段に相当する。可動ルーバ８２は支軸８４回りに回転可能とされた複数枚のスラット８６を備えている。図４に示されるように、各スラット８６の回転中心となる支軸８４には、スプロケット８８が同軸上に固定されている。すべてのスプロケット８８の外周面には、スプロケットチェーン９０が巻き掛けられている。また、最下段に配置されたスプロケット８８は二段ギアとされており、スプロケット８８に隣接して減速ギア９２が同軸上かつ一体に形成されている。減速ギア９２はスプロケット８８よりも大径とされており、外周部には駆動モータ９４の出力軸９６に固定されたピニオンギア９７が噛み合っている。なお、駆動モータ９４は正面壁３６の裏面側に図示しないブラケットを介して固定されている。
【００５３】
上記構成のうち、スプロケット８８、スプロケットチェーン９０、減速ギア９２、ピニオンギア９７が、本発明における開閉手段に相当する。なお、可動ルーバ８２の開閉手段は、上記に限らず、ラックアンドピニオン等を使った開閉機構を用いてもよい。
【００５４】
図５には、本実施形態に係るキッチン用フロアキャビネット１０が備える蓄電システム９８のブロック図が示されている。この図に示されるように、蓄電システム９８は制御手段としてのメイン制御盤１００を備えている。メイン制御盤１００は、蹴込み部１６内に配設されていてもよいし、キャビネット１８内或いはキッチン用フロアキャビネット１０とは異なる場所（壁１４等）に配設されていてもよい。
【００５５】
メイン制御盤１００には、商用電力系統５４と太陽光発電で使用される太陽電池パネルやプラグインハイブリッド車、電気自動車、燃料電池車等のような電力を供給可能な車両等を電源とする外部電源系統５２とを切り換える切換部５６と接続されている。切換部５６は蓄電池４６に接続されており、深夜電力等の商用電力又は外部電源からの電力を受電して充電されるようになっている。
【００５６】
また、メイン制御盤１００は、サブ制御盤１０２と接続されている。サブ制御盤１０２は各蓄電池４６に設けられており、コンデンサと、直流を交流に変換するスイッチング素子と、コンデンサからの放電による給電経路と商用電力からの給電経路とを切り換える切換部と、を含んで構成されている。サブ制御盤１０２は蓄電池４６と接続されており（配線は省略）、蓄電池４６で蓄電された電力をコンデンサ１０４に蓄えるようになっている。また、メイン制御盤１００からの放電信号がサブ制御盤１０２に入力されることにより、サブ制御盤１０２が備えるコンデンサが所定量放電するようになっている。さらに、メイン制御盤１００からサブ制御盤１０２が備える切換部に切換信号が入力されることにより、商用電力からの給電経路に切り換わるようになっている。
【００５７】
さらに、メイン制御盤１００は、モニタ３０と接続されている。モニタ３０は壁１４に取り付けられているが、カウンタ２２上に立設されていてもよい。図６に示されるように、モニタ３０の残量表示部３１Ａ、３１Ｂには蓄電池４６の残量が蓄電池４６ごとに表示されるようになっている。また、モニタ３０の温度表示部３１Ｃ、３１Ｄには、第１温度センサ１０６によって検出された室内温度（ｔ１）及び第２温度センサ１０８によって検出された蹴込み部１６内の閉鎖空間４４の温度（ｔ２）がそれぞれ表示されるようになっている。さらに、モニタ３０の優先順位表示部３１Ｅには、現時点での蓄電池４６の残量に応じて優先的に利用できる電気機器が表示されるようになっている。また、モニタ３０の警告表示手段としての警告表示部３１Ｆには、第２温度センサ１０８によって検出された温度が第２の所定温度（例えば、６５℃）以上であった場合に赤色点滅等による警告表示がなされるようになっている。なお、モニタ３０には、画面切換ボタン３１Ｇが設けられており、画面切換ボタン３１Ｇを押すと、料理レシピ等が表示され、画面切換ボタン３１Ｇを再度押すと図６図示の蓄電池監視モニタ画面が表示されるようになっている。
【００５８】
図５に戻り、メイン制御盤１００は、警報手段としての警報装置１１０が接続されている。警報装置１１０は第２温度センサ１０８によって検出された温度が第２の所定温度以上であった場合に警報音を発するようになっている。
【００５９】
さらに、メイン制御盤１００は、蓄電量検知手段１１２と接続されている。蓄電量検知手段１１２は、各蓄電池４６に配設されており、その蓄電池４６に蓄電されている現在の蓄電量（残量でもよい。）を検知してメイン制御盤１００に出力している。蓄電量検知手段１１２としては、例えば電流センサを用いて受電量及び放電量を検出してその積分値から求めるものでもよいし、他の構成でもよい。
【００６０】
また、メイン制御盤１００には、駆動モータ９４が接続されており、正転駆動及び逆転駆動による駆動制御を行うようになっている。さらに、メイン制御盤１００には、給気ファン４８が接続されており、その作動が制御されている。
【００６１】
また、メイン制御盤１００には、第１温度検出手段としての第１温度センサ１０６及び第２温度検出手段としての第２温度センサ１０８がそれぞれ接続されている。図３に示されるように、第１温度センサ１０６は蹴込み部１６の正面壁３６の上端部外側に配設されており、キッチン用フロアキャビネット１０の下部外周の雰囲気温度を検出してコントローラ１１４に常時出力している。また、第２温度センサ１０８は蹴込み部１６の正面壁３６の下端部内側に配設されており、蹴込み部１６の閉鎖空間４４内の気温を検出してコントローラ１１４に常時出力している。
【００６２】
（作用・効果）
次に、本実施形態の作用並びに効果について説明する。
【００６３】
最初に、図７に示されるフローチャートを用いて、足元暖房制御について説明する。
まず、ステップ１５０で、第１温度センサ１０６によって検出された検出値ｔ１及び第２温度センサ１０８によって検出された検出値ｔ２がメイン制御盤１００に取込まれる。
【００６４】
次いで、ステップ１５２で、キッチン用フロアキャビネット本体２０の可動ルーバ８２の前方の雰囲気温度ｔ１が第１の所定温度Ｔ１（例えば、５℃）以下であるか否かが判断される。ステップ１５２で否定された場合は、室内のキッチン用フロアキャビネット本体２０の下部付近の気温は足元暖房をする程ではないと判断し、ステップ１５４へ移行して可動ルーバ８２が半開状態にされると共に給気ファン４８の停止状態が維持される。すなわち、メイン制御盤１００によって駆動モータ９４に半開を指示する駆動信号が送信され、可動ルーバ８２が半開状態になる回転数だけ駆動モータ９４が正転駆動される。これにより、蹴込み部１６の閉鎖空間４４は、自然換気が確保された状態となる。
【００６５】
一方、ステップ１５２で肯定された場合は、室内のキッチン用フロアキャビネット本体２０の下部付近の気温は第１の所定温度Ｔ１未満であり、足元暖房を必要とすると判断し、ステップ１５６へ移行して可動ルーバ８２が全開状態とされると共に給気ファン４８が作動される。すなわち、メイン制御盤１００によって駆動モータ９４に全開を指示する駆動信号が送信され、可動ルーバ８２が全開状態になる回転数だけ駆動モータ９４が正転駆動される。また同時に給気ファン４８が作動される。これにより、床下空間５０内の空気が閉鎖空間４４内へ送給されて、閉鎖空間４４から可動ルーバ８２を通って室内空間８０へ送給される。この過程で、閉鎖空間４４内で蓄電池４６から放出された排熱が暖気となって可動ルーバ８２から室内空間８０へ送給される。可動ルーバ８２から排出された暖気は、台所仕事をしている人の足元に送給され、その人の足元を暖める。
【００６６】
なお、給気ファン４８のみを設けて排気ファンを設けていないが、これは蹴込み部１６内の閉鎖空間４４はそれほど広い空間ではないので、給気ファン４８による給気を行うと、閉鎖空間４４から室内空間８０へ流れる気流が生じるためである。従って、給気ファン４８に加えて排気ファンを可動ルーバの近傍に設けてもよい。さらに、給気口と排気ファンの組み合わせてこれらを設けるようにしてもよい。
【００６７】
図７に戻り、可動ルーバ８２の開度調整と給気ファン４８のＯＮ・ＯＦＦモードが決まると、ステップ１５８へ移行し、閉鎖空間４４内の気温ｔ２が第２の所定温度Ｔ２（例えば、６５℃）以上であるか否かが判断される。ステップ１５８で否定されると、ステップ１５０に戻り、上記運転が継続される。一方、ステップ１５８で肯定されると、ステップ１６０に移行し、可動ルーバ８２が全閉状態とされると共に給気ファン４８が停止される。すなわち、メイン制御盤１００によって駆動モータ９４に全閉を指示する駆動振動が送信され、可動ルーバ８２が全閉状態になる回転数だけ駆動モータ９４が逆転駆動される。これにより、足元暖房に適切な温度以上に高温になった気流が室内空間８０へ送給されるのを防止することができる。
【００６８】
また、ステップ１６０を経た後、ステップ１６２へ移行して警報装置１１０が作動されると共にステップ１６４へ移行してモニタ３０の警告表示部３１Ｆが赤色点滅される。これにより、近くに居る人に注意喚起を促すことができる。
【００６９】
次に、図８に示されるフローチャートを用いて、家電機器への給電制御について説明する。
まず、ステップ１７０でメイン制御盤１００によって各蓄電池４６の蓄電量（残量）の確認が行われる。具体的には、蓄電量検知手段１１２による検知信号に基づいて各蓄電池４６の蓄電池（残量）が求められる。
【００７０】
次いで、ステップ１７２へ移行し、ステップ１７０で確認した蓄電池４６の蓄電量（残量）に基づいて、給電可能な家電機器等の負荷の順位が決定される（優先順位の決定）。優先順位の決定は、一例として以下のように成される。まず、電気機器を予めＡ群とＢ群といった複数の群に分類しておく。分類の基準は、例えば、使用時間が比較的長いものをＡ群とし、使用時間が比較的短いものをＢ群とする。それ以外にも、重要度が比較的高いものをＡ群とし、重要度が比較的低いものをＢ群としてもよいし、消費電力が比較的大きいものをＡ群とし、消費電力が比較的小さいものをＢ群としてもよい。さらに、予め下記表１のように、各電気機器の消費電力を数値化しておく。下記表１の電気機器の種類及び数値は、モニタ３０の画面３１を操作することにより、任意に変更することができる。また、この表１は、メイン制御盤１００に記憶される。
【００７１】
上記を前提として、例えば、ステップ１７０で確認された蓄電池４６の蓄電量（残量）が仮に「６５」であったとすると、優先順位は、まずＢ群に先行してＡ群から充当していき、かつ数値が大きいものから優先させる。表１の場合、Ａ群の合計は「５５」であるから、「空調機器→照明装置→冷蔵庫」の順に優先順位が決まる。また、蓄電池４６の蓄電量（残量）「６５」に対し、まだ「１０」の余裕があるから、Ｂ群から食器洗浄機「１０」が選択されて、最終的な優先順位は「空調機器→照明装置→冷蔵庫→食器洗浄機」と決定される。つまり、調理機器は「１５」で足りないので、選択されず、「１０」以内で数値の大きいものから選択されて食器洗浄機「１０」が選択される。そして、この順位は、ステップ１７４でモニタ３０の優先順位表示部３１Ｅに表示される。これにより、台所仕事をしている人は、蓄電池４６で賄われる電気機器がどれなのか及びどの順番なのかが一目で解る。
【００７２】
その後、ステップ１７６へ移行して蓄電池４６に蓄電された蓄電量（残量）が基準値Ｑ未満になったか否かが判断される。この基準値Ｑは、蓄電池４６の最低蓄電量を数値化した値とし、蓄電量（残量）ゼロを基準値Ｑとしてもよいが、ここでは若干の余裕をみて蓄電量（残量）１０％に相当する数値を基準値Ｑとしている。
【００７３】
ステップ１７６で否定されれば、蓄電池４６の蓄電量（残量）はまだ使うに足るだけの量があると判断され、ステップ１７０に戻る。一方、ステップ１７６で肯定された場合は、蓄電池４６の蓄電量（残量）が殆ど無くなってきたと判断し、ステップ１７８へ移行してサブ制御盤１０２内の切換部が切換えられる。これにより、蓄電池４６からの給電経路が商用電力からの給電経路に変更される。
【００７４】
【表１】
0005443874.tif 000002
【００７５】
このように本実施形態では、キッチン用フロアキャビネット１０の蹴込み部１６内に蓄電池４６を収納させ、蓄電池４６から発生した排熱を可動ルーバ８２を介して室内空間８０へ供給するようにしたので、キッチン用フロアキャビネット本体２０前に人が居る場合に足元暖房することができる。その結果、蓄電池４６の排熱を有効利用することができる。
【００７６】
また、蹴込み部１６の底壁４０に給気ファン４８を設けてこの給気ファン４８を利用して閉鎖空間４４内の排熱を温風として室内空間８０側へ送給するようにしたので、強制的に足元暖房を行うことができる。
【００７７】
さらに、予め工場内で蓄電池４６に配線６０を設けておき、キッチン用フロアキャビネット１０の据付け後に壁１４に設けられたコンセント５８に蓄電池４６の配線６０を接続することにより、蓄電池４６に充電可能な状態となる。このため、施工現場での作業性を向上させることができる。
【００７８】
また、キッチン用フロアキャビネット本体２０の下部に設けれた蹴込み部１６に蓄電池４６を収納すると共に、その正面壁３６に可動ルーバ８２を設けたので、キッチン用フロアキャビネット１０のデッドスペースを有効に活用することができると共に、暖気を室内空間８０の床面に近い位置から供給することができる。従って、足首あたりから暖めることができ、効果的に足元暖房を行うことができる。
【００７９】
さらに、可動ルーバ８２を駆動モータ９４及び開閉機構によって開閉可能とし、蹴込み部１６の外側に設けた第１温度センサ１０６によって検出された温度が第１の所定温度以下の場合に足元暖房を行うようにしたので、冬期に足元暖房を自動的に行わせることができる。
【００８０】
また、蹴込み部１６内の閉鎖空間４４に耐火材料から成る底壁４０及び天井壁４２を用いたので、蓄電池４６が高温になっても蹴込み部１６の構成壁である底壁４０及び天井壁４２が熱で損傷を受けることがない。このため、蓄電池４６を蹴込み部１６に長期間に亘って安全に収納することができる。
【００８１】
さらに、蹴込み部１６内に第２温度センサ１０８を設け、蹴込み部１６内の閉鎖空間４４の気温が異常温度である第２の所定温度以上の場合には駆動モータ９４及び開閉機構を作動させて可動ルーバ８２を閉止させるようにしたので、室内に過度に高い暖気が可動ルーバ８２から室内へ供給されることはない。従って、蹴込み部１６内の気温が異常温度になったときに高温の暖気が足元に直接供給されることを防止することができる。
【００８２】
また、本実施形態では、上記の場合にメイン制御盤１００によって警報装置１１０が作動されると共にモニタ３０に警告表示するため、蹴込み部１６内の気温が異常温度になったときに迅速に注意換気を促すことができる。
【００８３】
さらに、本実施形態では、モニタ３０の画面に蓄電池４６の蓄電量（残量）が表示されるので、台所仕事をしながら蓄電池４６の残量をチェックすることができる。このため、蓄電池４６の残量を容易に確認することができる。
【００８４】
さらに、蓄電池４６は、商用電力系統５４と接続されて深夜電力を使って充電可能とされており、メイン制御盤１００によって蓄電池４６から負荷への給電が商用電源から負荷への給電に優先して行われるよう切換部を制御するため、昼間は、蓄電池４６で蓄電した安価な深夜電力が先に消費される。従って、昼間にかかる電気代を抑制することができる。
【００８５】
また、蓄電池４６の蓄電量（残量）に応じて使用可能な電気機器の優先順位を変更すると共に、モニタ３０に変更後の優先順位を表示させるようにしたので、蓄電池４６の残量が減ってきた場合でも優先順位の高い電気機器から給電される。また、変更後の優先順位はモニタ３０に表示されるので、使用者も容易に優先順位が変更されたことを知ることができる。その結果、本実施形態によれば、蓄電池４６の残量に応じて最も効果的に電気機器に給電することができる。
【００８６】
〔上記実施形態の補足説明〕
【００８７】
上述した実施形態では、蹴込み部１６の正面壁３６に可動ルーバ８２を設けて給気ファン４８によって暖気を室内空間８０へ供給するようにしたが、これに限らず、蹴込み部の正面壁の一部又は全部を熱伝導性の高い材料で構成して、閉鎖空間４４内に排出された排熱が当該正面壁に伝熱されて輻射により室内空間８０へ排熱を供給するようにしてもよい。
【符号の説明】
【００８８】
１０      キッチン用フロアキャビネット
１４      壁
１６      蹴込み部
２０      キッチン用フロアキャビネット本体
２２      カウンタ
３０      モニタ（表示手段）
３１      画面
３１Ｅ    優先順位表示部
３１Ｆ    警告表示部（警告表示手段）
３４      収納スペース（収納空間）
３６      正面壁
４０      底壁（耐火材）
４２      天井壁（耐火材）
４４      閉鎖空間（蹴込み部の内部）
４６      蓄電池
４８      給気ファン（排熱供給手段）
５２      外部電源系統
５４      商用電力系統
５８      コンセント（電源ライン）
６０      配線
８０      室内空間
８２      可動ルーバ（排熱供給手段）
８８      スプロケット（開閉手段）
９０      スプロケットチェーン（開閉手段）
９２      減速ギア（開閉手段）
９４      駆動モータ（開閉手段）
９７      ピニオンギア（開閉手段）
１００    メイン制御盤（制御手段）
１０６    第１温度センサ
１０８    第２温度センサ
１１０    警報装置（警報手段）
１１２    蓄電量検知手段
【図１】
0005443874.tif 000003
【図２】
0005443874.tif 000004
【図３】
0005443874.tif 000005
【図４】
0005443874.tif 000006
【図５】
0005443874.tif 000007
【図６】
0005443874.tif 000008
【図７】
0005443874.tif 000009
【図８】
0005443874.tif 000010